(57)【要約】【課題】取り扱いが容易な吸収パッドを提供する。【解決手段】吸収体１４を備え、その吸収体１４の使用面１４Ｔで使用者の排泄物を吸収する吸収パッド１０は、使用前に使用面１４Ｔを内側にして折曲部１８にて折り曲げ、その折曲部１８に吸収体１４よりも腰度の強い不織布（装着補助部）１６が備えられている。【選択図】図２
2005073901.tif 000002
【特許請求の範囲】
【請求項１】
吸収体を備え、該吸収体の使用面で使用者の排泄物を吸収する吸収パッドにおいて、
前記吸収パッドは、使用前に前記使用面を内側にして折曲部にて折り曲げ、該折曲部に前記吸収体よりも腰度の強い装着補助部が備えられていることを特徴とする吸収パッド。
【請求項２】
前記装着補助部が親水処理されていることを特徴とする請求項１に記載の吸収パッド。
【請求項３】
前記吸収体の裏面側にバックシートを備え、該バックシートと前記吸収体との間に前記装着補助部を備えることを特徴とする請求項１または２に記載の吸収パッド。
【請求項４】
前記吸収体の使用面側に親水性のトップシートを備え、該トップシートと前記吸収体との間に前記装着補助部を備えることを特徴とする請求項１ないし３に記載の吸収パッド。
【請求項５】
前記装着補助部が少なくとも部分的に吸水性を有する多孔質の撥水シートであることを特徴とする請求項４に記載の吸収パッド。
【請求項６】
前記腰度が３００〜２０００ｍｍであることを特徴とする請求項１ないし５に記載の吸収パッド。
【請求項７】
前記略矩形の装着補助部の２つの長辺にそれぞれ切り欠きを設けることを特徴とする請求項１ないし６に記載の吸収パッド。
【発明の詳細な説明】
【技術分野】
【０００１】
この発明は、尿取りパッド、失禁パッド、生理用ナプキンなどの吸収パッドに関する。
【背景技術】
【０００２】
従来、吸収体を備えた尿取パッドなどの吸収パッドは、矩形で長手方向のほぼ中央部で２つ折りにして複数個重ね合わせて圧縮して包装され製品として販売されており、例えば、展開型紙おむつの使用面側の折曲部を中心にメカニカルテープ、粘着テープなどで貼着して使用者に装着していた。そして、尿などを吸収したときは、使用済みの吸収パッドを展開型紙おむつから剥離して、未使用のものと交換して使用していた。
【０００３】
これは、１つには、展開型紙おむつなどの単価が吸収パッドの単価と比べて高価であるため、使用者の尿の吸収には主に吸収パッドを用い、展開型紙おむつにまで尿が達しないようにして、できるだけ長期間紙おむつを使用することによってコストを下げようとすることによるものである。
【０００４】
また、１つには、例えば、介護の手間を減らすため、展開型紙おむつを一晩中交換せずに使用する場合、使用者によっては総排尿量が多く、１枚の展開型紙おむつでは朝まで吸収しきれず、衣類や寝具にまで浸み出してしまう、いわゆる尿漏れを起こしてしまう可能性があるため、吸収パッドを併用することによって尿の総吸収量を増加させるためである。
【０００５】
そして、これらのような使用方法の場合、寝たきりの使用者に適用することがあり、吸収パッドを交換するときには、介護者が片手で使用者の両足を持ち上げ、もう一方の手で使用済みの吸収パッドを展開型紙おむつの使用面から外した後、未使用の吸収パッドを広げて展開型紙おむつの使用面に装着していた。
【０００６】
ところで、生理用ナプキンの開封時の形状を回復させる例としては長手方向吸収性ハンプを備え、装着中にフィット感や装着の違和感をなくすために伸縮性を有する二次元的な部材を挿入する技術が開示されている（例えば、特許文献１）。
【特許文献１】特表２００２−５１２８４８号公報
【発明の開示】
【発明が解決しようとする課題】
【０００７】
しかし、従来の吸収パッドは、矩形で長手方向のほぼ中央部で２つ折にした状態で複数個重ねて圧縮されて包装され、製品として販売されていることが多いため、折りぐせがついてしまい、使用時に介護者が片手で吸収パッドを広げる際に、折りぐせがなかなか広がらずに、取り扱いが悪く交替がし難いという問題があった。
そこで、この発明の目的は、取り扱いが容易な吸収パッドを提供することにある。
【課題を解決するための手段】
【０００８】
このため、請求項１に記載の発明は、吸収体を備え、該吸収体の使用面で使用者の排泄物を吸収する吸収パッドにおいて、
前記吸収パッドは、使用前に前記使用面を内側にして折曲部にて折り曲げ、該折曲部に前記吸収体よりも腰度の強い装着補助部を備えられていることを特徴とする。
【０００９】
したがって、請求項１の発明によれば、使用前に使用面を内側にして折曲部にて折り曲げ、その折曲部に吸収体よりも腰度の強い装着補助部が備えられているので、使用時に吸収パッドが広げやすくなる。
【００１０】
請求項２の発明は、請求項２に記載の発明は、請求項１に記載の吸収パッドにおいて、前記装着補助部が親水処理されていることを特徴とする。
【００１１】
したがって、請求項２の発明によれば、装着補助部が親水処理されているので、吸収体の使用面側、裏面側いずれに備えても、排泄物を吸収体に加えて装着補助部も吸収する。
【００１２】
請求項３の発明は、請求項１または２に記載の吸収パッドにおいて、前記吸収体の裏面側にバックシートを備え、該バックシートと前記吸収体との間に前記装着補助部を備えることを特徴とする。
【００１３】
したがって、請求項３の発明によれば、吸収体の裏面側にバックシートを備え、そのバックシートと吸収体との間に装着補助部を備えるので、使用者に吸収体よりも腰度の強い装着補助部が直接当たることがない。
【００１４】
請求項４の発明は、請求項１ないし３に記載の吸収パッドにおいて、前記吸収体の使用面側にトップシートを備え、該トップシートと前記吸収体との間に前記装着補助部を備えることを特徴とする。
【００１５】
したがって、請求項４の発明によれば、吸収体の使用面側に親水性のトップシートを備えるので、排泄物の吸収体への吸収を早める。
【００１６】
請求項５の発明は、請求項４に記載の吸収パッドにおいて、前記装着補助部が少なくとも部分的に吸水性を有する多孔質の撥水シートであることを特徴とする。
【００１７】
したがって、請求項５の発明によれば、親水性のトップシートと吸収体との間に装着補助部を備え、その装着補助部が多孔質の撥水シートであるので、撥水シートが尿などの排泄物を拡散して、吸収体に吸収させる。
【００１８】
請求項６の発明は、請求項１ないし５に記載の吸収パッドにおいて、前記腰度が３００〜２０００ｍｍであることを特徴とする。
【００１９】
したがって、請求項６の発明によれば、折りたたまれて梱包された製品の吸収パッドを取り出したとき、容易に広がる。
【００２０】
請求項７の発明は、請求項１ないし６に記載の吸収パッドにおいて、前記略矩形の装着補助部の２つの長辺にそれぞれ切り欠きを設けることを特徴とする。
【００２１】
したがって、請求項７の発明によれば、略矩形の装着補助部の２つの長辺にそれぞれ切り欠きを設けるので、その切り欠きが使用者の股下域にフィットする。
【発明の効果】
【００２２】
請求項１に記載の発明によれば、使用前に使用面を内側にして折曲部にて折り曲げ、その折曲部に吸収体よりも腰度の強い装着補助部が備えられているので、介護者が吸収パッドを片手でも広げやすくなり、取り扱いが容易な吸収パッドを提供することができる。
【００２３】
請求項２に記載の発明によれば、装着補助部が親水処理されているので、吸収体の使用面側、裏面側いずれに備えても、排泄物を吸収体に加えて装着補助部でも吸収することができる。
【００２４】
請求項３に記載の発明によれば、吸収体の裏面側にバックシートを備え、そのバックシートと吸収体との間に装着補助部を備えるので、使用者に吸収体よりも腰度の強い装着補助部が直接当たることがなく、装着感を損なうことがない。
【００２５】
請求項４に記載の発明によれば、吸収体の使用面側に親水性のトップシートを備え、そのトップシートと吸収体との間に装着補助部を備えるので、吸収体の使用面側に親水性のトップシートを備えるので、排泄物の吸収体への吸収を早めることができる。
【００２６】
請求項５に記載の発明によれば、親水性のトップシートと吸収体との間に装着補助部を備え、その装着補助部が多孔質の撥水シートであるので、撥水シートが尿などの排泄物を拡散して、吸収体に吸収させる。
【００２７】
請求項６に記載の発明によれば、折りたたまれて梱包された製品の吸収パッドを取り出したとき、容易に広げることができる。
【００２８】
請求項７に記載の発明によれば、略矩形の装着補助部の２つの長辺にそれぞれ切り欠きを設けるので、その切り欠きが使用者の股下域にフィットして装着感がよい吸収パッドを提供することができる。
【発明を実施するための最良の形態】
【００２９】
以下、図面を参照しつつ、この発明の実施の形態につき説明する。
（第１の実施の形態）
図１は、この発明の吸収パッドの一例としての尿取りパッドの斜視図、図２はそのＡ矢視断面図、図３はそのＢ矢視断面図である。尿取りパッド１０は、綿状パルプに高分子吸収体ポリマーを散在させた吸収体１４の使用面側１４Ｔに、メッシュ状の孔を複数有する不織布やフィルムなどを長方形に形成した液透過性のトップシート１１と、このトップシート１１と同一形状でポリエチレンなどからなる液不透過性のバックシート１２と、その吸収体１４を包んでいるティシュペーパー１５、吸収体１４の裏面側にバックシート１２を備える。
【００３０】
このバックシート１２と吸収体１４との間には尿取りパッド１０を広げやすいように、吸収体１４よりも腰度の強い略矩形の装着補助部である、１００ｇ／ｍ２の高目付のスパンボンド不織布１６を備える。また、尿取りパッド１０の両側部には使用面側に起立可能な撥水性の２つ折りのギャザーシート２６ｓを備え、その長手方向に沿って先端部分にはそれぞれ２本ずつ糸ゴム２６Ａを備えて立体ギャザー１７を形成する。なお、糸ゴム２６Ａは伸張状態で配置し、接着剤などで接合する。
【００３１】
トップシート１１は、液透過性の不織布、織布、多孔性プラスチックフィルム等であり、その構成繊維は、ポリプロピレン、ポリエチレン、ポリエステル、ナイロン等の単・長繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００３２】
バックシート１２は、例えば、ポリエチレン等の液不透過性フィルム、液体不透過性フィルムと不織布あるいは織布を貼り合わせた素材等である。より好ましくは、ムレを防止するために、液体を透過させない程度の多数の微孔を設けたポリエチレン製フィルムなどの外側に不織布、織布を貼り合わせた複合シートを用いると、透湿性や肌触り等を快適なものとすることができる。
【００３３】
吸収体１４は、液状の排泄物を吸収して保持するためのものであり、綿状パルプ、高吸収性ポリマー（以後省略して、「ＳＡＰ」という。）、親水性シート等からなる。また、本発明において使用される吸収体１４は、従来のパンツ型紙おむつなどの吸収性物品において通常使用される公知の吸収性材料から作られている。
【００３４】
すなわち、綿状パルプ、レーヨン等の吸収性繊維とＳＡＰを混合した単層もしくは多層のマット、あるいは、吸収性繊維からなるマットの層間にＳＡＰを均一に配置したもの等を親水性シートであるティシュペーパー１５で包んで形成したものを使用することができる。また、必要に応じて綿状パルプに対して３〜６０重量％の熱融着性物質を混合して熱圧着してもよい。もしくは、ＳＡＰのみが親水性シートにより包まれているものでも良い。
【００３５】
綿状パルプとしては、化学パルプシートもしくは、機械パルプシートを粉砕機で解繊したものが用いられる。パルプ原料としては、針葉樹に限らず、広葉樹、わら、竹およびケナフも適用される。また、古紙パルプを使用しても良い。この綿状パルプの使用量は、目的とする吸収体により、例えば、単独で用いるか、複数積層して用いるか、他の吸収材を併用するかなどにより異なるが、一般的には、５０〜４００ｇ／ｍ2にされる。
【００３６】
ＳＡＰとしては、デンプン系、セルロース系、合成ポリマー系が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物などが使用可能である。
【００３７】
また、装着補助部としての１００ｇ／ｍ2の高目付のスパンボンド不織布は、界面活性剤を散在させるなどして親水処理され、吸収体１４と同様に排泄物を吸収できるようにしている。
【００３８】
ところで、未使用の尿取りパッド１０は、図４（ａ）に示すように折曲部１８にて使用面（トップシート１１）を内側にして個別に折り曲げられて複数個重ねて圧縮された状態で図４（ｂ）のようにパッケージングされている。このため、例えば、図５に示すように、展開型紙おむつＤと併用して使用する場合には、展開型紙おむつＤのトップシート２１上でかつ、使用者の折曲部１８に相当する部分を中心として、尿取りパッド１０の裏面側４２に設けられたメカニカルファスナーのオス材３１などを設けて尿取りパッド１０を取り付ける。そして、展開型紙おむつＤの後身頃Ｂに設けられたファスニングテープ２３を前身頃Ｆに取り付けて使用者に着用する。
【００３９】
排泄物を吸収した尿取りパッド１０を交換するときは、上述の取り付け手順と逆の手順で、使用者から展開型紙おむつＤを外す。そして、通常、片手で使用者の両足を保持したまま、もう一方の手で、使用済みの尿取りパッド１０を展開型紙おむつＤから取り外し、新品の尿取りパッド１０を折曲部１８を中心として取り付ける。
【００４０】
この際、介護者は、尿取りパッド１０を片手で取り扱っているので、圧縮されてパッケージングされた新品の尿取りパッド１０を広げやすくするために、吸収体１４よりも腰度の強い不織布１６を備えているとよい。したがって、介護者が容易に片手で尿取りパッド１０を開いて、展開型紙おむつＤに取り付けることができる。
【００４１】
なお、従来の吸収体の腰度は、１５０〜２００ｍｍ程度であり、２つ折りの製品としての尿取りパッドを広げることが容易ではなかった。そこでこの発明の装着補助部としての高目付のスパンボンド不織布１６の腰度を３００〜２０００ｍｍとすることによって、吸収体１４を含めて尿取りパッド１０を容易に広げられるようにするものである。腰度が３００ｍｍ未満だと、２つ折りに畳まれた製品の尿取りパッドを広げるのに手間がかかる。一方、腰度が２０００ｍｍ以上だと、尿取りパッドを装着した際に、ごわつき感が強く、好ましくない。なお、腰度については、ＪＩＳ  Ｌ  １０８５の「不織布のしん地試験４５度カンチレバ法」に準じた方法で測定するものとする。
【００４２】
また、この実施の形態では、吸収体１４の裏面側１４Ｂにバックシート１２を備え、そのバックシート１２と吸収体１４との間に不織布（装着補助部）１６を備えたが、この発明はこれに限定されるものではなく、吸収体１４の使用面側Ｔにトップシート１１を備え、そのトップシート１１と吸収体１４との間に不織布（装着補助部）１６を備えてもよいし、トップシート１１、バックシート１２は必ずしも備えなくてもよい。
【００４３】
さらに、不織布１６に、厚み１０ｍｍ程度のウレタンフォームまたはポリプロピレンを原料とする厚み５ｍｍ程度の軟質プラスチックを部分的に折曲部１８の中央部に付加すると、尿取りパッド１０を一層、開きやすくすることができる。
【００４４】
また、この実施の形態では、尿取りパッドを展開型紙おむつに併用して使用する例について説明したが、これに限定されるものではなく、尿取りパッドをパンツ型紙おむつに併用して使用してもよい。
【００４５】
（第２の実施の形態）
この実施の形態の吸収パッドの一例としての尿取りパッドは、前述の実施の形態の尿取りパッドに比べて、装着補助部の部材と配置が異なるのみでその他の構成、使用方法は同様であるので、説明は省略する。図６（ａ）に示すように、部分的に吸水性を有する多孔質撥水シート１６Ａを装着補助部として用いる。この多孔質撥水シート１６Ａは、部分的に吸水性を有し、少なくとも１ｃｍ２あたり０．０５ｇの吸水性を有することを特徴とする。そして、図６（ｂ）に示すように、吸収体１４の使用面側１４Ｔにトップシート１１を備え、そのトップシートと吸収体１４との間に多孔質撥水シート１６Ａを備える。
【００４６】
（第３の実施の形態）
この実施の形態の吸収パッドの一例としての尿取りパッドは、第１，２の実施の形態の尿取りパッドに比べて、装着補助部の部材の形状が異なるのみでその他の構成、使用方法は同様であるので、説明は省略する。
図７（ａ）に示すように、略矩形の装着補助部である、不織布１６、多孔質撥水シート１６Ａの２つの長辺Ｌの略中央部にあたる折曲部１８にそれぞれ切り欠きＣを設け、カットシート１６Ｂとする。
【００４７】
そして、図７（ｂ）に示すように、吸収体１４の裏面側１４Ｂにバックシート１２を備え、そのバックシート１２と吸収体１４との間に不織布１６に切り欠きＣを設けたカットシート１６Ｂを備える。
また、図７（ｃ）に示すように、吸収体１４の使用面側１４Ｔにトップシート１１を備え、そのトップシート１１と吸収体１４との間に多孔質撥水シート１６Ａに切り欠きＣを設けたカットシート１６Ｂを備える。
【００４８】
なお、上述の３つの実施の形態では、吸収パッドの一例として尿取りパッドについて説明したが、この発明はこれに限定されるものではなく、失禁パッドなどに適用してもよい。また、上述の３つの実施の形態では、装着補助部をそれぞれ吸収体とトップシートまたはバックシートとの間に設けたが、これに限定されるものではなく、吸収体の一部として形成してもよい。
【図面の簡単な説明】
【００４９】
【図１】この発明の吸収パッドの一例として尿取りパッドの斜視図である。
【図２】図１のＡ矢視断面図である。
【図３】図１のＢ矢視断面図である。
【図４】（ａ）は吸収パッドを折り畳んだ様子を示す図、（ｂ）は折り畳んだ吸収パッドを複数枚重ねて圧縮してパッキングした様子を示す図である。
【図５】図１の吸収パッドを展開型紙おむつに取り付けて使用する様子を説明するための図である。
【図６】（ａ）は装着補助部としての多孔質フィルムの要部平面図であり、（ｂ）はその多孔質フィルムを配した吸収パッドの断面図である。
【図７】（ａ）は装着補助部としての切り欠きシートの要部平面図であり、（ｂ）はその切り欠きシートを吸収体とバックシートとの間に配した吸収パッドの断面図であり、（ｃ）はその切り欠きシートを吸収体とトップシートとの間に配した吸収パッドの断面図である。
【符号の説明】
【００５０】
１０    尿取りパッド（吸収パッド）
１１    トップシート
１２    バックシート
１４    吸収体
１４Ｔ    使用面
１４Ｂ    裏面
１５    ティシュペーパー
１６    不織布（装着補助部）
１６Ａ    多孔質撥水シート（装着補助部）
１６Ｂ    カットシート（装着補助部）
１７    立体ギャザー
１８    股下部
２１    （展開型紙おむつの）トップシート
２３    ファスニングテープ
２６Ａ    弾性部材
２６ｓ    ギャザーシート
２７    立体ギャザー
Ｂ    後身頃
Ｆ    前身頃
Ｄ    展開型紙おむつ
Ｌ    長辺
【図１】
2005073901.tif 000003
【図２】
2005073901.tif 000004
【図３】
2005073901.tif 000005
【図４】
2005073901.tif 000006
【図５】
2005073901.tif 000007
【図６】
2005073901.tif 000008
【図７】
2005073901.tif 000009